(57)【要約】【課題】  オーディオミキサに接続し、音声信号の記録・再生を行うレコーダに、ＵＳＢメモリ等を使用した。このＵＳＢメモリに対する入出力信号を適切に監視する。【解決手段】  ＣＵＥバス１１４には、入力チャンネル調整部１１０およびＭＩＸ出力チャンネル調整部１１６から一または複数のＣＵＥ対象信号（監視用の音声信号）が供給される。これらは、ＣＵＥバス１１４においてミキシングされ、切換部１３４を介してモニタ用のヘッドホン等に出力される。ここで、内蔵レコーダ１２に入出力される信号を、ＣＵＥオンオフ切換部１２６，１２８を介してＣＵＥバス１１４に供給し、入出力チャンネルと同様に切換部１３４を介して監視できるようにした。但し、ＣＵＥオンオフ切換部１２６，１２８のうち一方がオン状態になると、ＣＵＥバス１１４に供給される音声信号は、該切換部１２６，１２８のうち何れか一方を介して供給される信号のみになる。【選択図】  図３
2007329567.tif 000002
【特許請求の範囲】
【請求項１】
それぞれ供給される信号を混合し、混合信号を出力する複数のミキシングバスと、
それぞれ入力される信号の特性を調整して前記ミキシングバスに選択的に供給する複数の入力チャンネルと、
前記各ミキシングバスに対応して設けられ、前記各混合信号の特性を調整して出力する複数の出力チャンネルと、
供給される信号を記憶媒体に記録する機能と、該記憶媒体に記憶された信号を再生して出力する機能とを備えたレコーダと、
前記複数の出力チャンネルの出力信号のうち何れか一つを選択し、選択した出力信号を前記レコーダに供給する録音選択手段と、
前記レコーダから再生された再生信号を、前記複数の入力チャンネルのうち任意のものに供給する出力先選択手段と、
供給された信号をキュー信号として出力するキュー信号出力手段と、
前記複数の入力チャンネルの出力信号、前記複数の出力チャンネルの出力信号、および前記録音選択手段の出力信号のうち何れかの信号のキュー指示に応じて、その指示された信号を選択的に前記キュー信号出力手段に供給するキュー信号制御手段と
を有することを特徴とするオーディオミキサ。
【請求項２】
それぞれ供給される信号を混合し、混合信号を出力する複数のミキシングバスと、
それぞれ入力される信号の特性を調整して前記ミキシングバスに選択的に供給する複数の入力チャンネルと、
前記各ミキシングバスに対応して設けられ、前記各混合信号の特性を調整して出力する複数の出力チャンネルと、
供給される信号を記憶媒体に記録する機能と、該記憶媒体に記憶された信号を再生して出力する機能とを備えたレコーダと、
前記複数の出力チャンネルの出力信号のうち一つを選択し、選択した出力信号を前記レコーダに供給する録音選択手段と、
前記レコーダから再生された再生信号を、前記複数の入力チャンネルのうち任意のものに供給する出力先選択手段と、
供給される信号をキュー信号として出力するキュー信号出力手段と、
前記複数の入力チャンネルの出力信号、前記複数の出力チャンネルの出力信号、および前記レコーダによって再生された再生信号のうち何れかの信号のキュー指示に応じて、その指示された信号を選択的に前記キュー信号出力手段に供給するキュー信号制御手段と
を有することを特徴とするオーディオミキサ。
【請求項３】
それぞれ供給される信号を混合し、混合信号を出力する複数のミキシングバスと、
それぞれ入力される信号の特性を調整して前記ミキシングバスに選択的に供給する複数の入力チャンネルと、
前記各ミキシングバスに対応して設けられ、前記各混合信号の特性を調整して出力する複数の出力チャンネルと、
供給される信号を記憶媒体に記録する機能と、該記憶媒体に記憶された信号を再生して出力する機能とを備えたレコーダと、
前記複数の出力チャンネルの出力信号のうち一つを選択し、選択した出力信号を前記レコーダに供給する録音選択手段と、
前記レコーダから再生された再生信号を、前記複数の入力チャンネルのうち任意のものに供給する出力先選択手段と、
供給される信号をキュー信号として出力するキュー信号出力手段と、
処理装置と
を有するオーディオミキサに適用されるプログラムであって、
前記複数の入力チャンネルの出力信号、前記複数の出力チャンネルの出力信号、および前記録音選択手段の出力信号のうち何れかの信号のキュー指示に応じて、その指示された信号を選択的に前記キュー信号出力手段に供給する過程を前記処理装置に実行させることを特徴とするプログラム。
【請求項４】
それぞれ供給される信号を混合し、混合信号を出力する複数のミキシングバスと、
それぞれ入力される信号の特性を調整して前記ミキシングバスに選択的に供給する複数の入力チャンネルと、
前記各ミキシングバスに対応して設けられ、前記各混合信号の特性を調整して出力する複数の出力チャンネルと、
供給される信号を記憶媒体に記録する機能と、該記憶媒体に記憶された信号を再生して出力する機能とを備えたレコーダと、
前記複数の出力チャンネルの出力信号のうち一つを選択し、選択した出力信号を前記レコーダに供給する録音選択手段と、
前記レコーダから再生された再生信号を、前記複数の入力チャンネルのうち任意のものに供給する出力先選択手段と、
供給される信号をキュー信号として出力するキュー信号出力手段と、
処理装置と
を有するオーディオミキサに適用されるプログラムであって、
前記複数の入力チャンネルの出力信号、前記複数の出力チャンネルの出力信号、および前記レコーダによって再生された再生信号のうち何れかの信号のキュー指示に応じて、その指示された信号を選択的に前記キュー信号出力手段に供給する過程
を前記処理装置に実行させることを特徴とするプログラム。
【発明の詳細な説明】
【技術分野】
【０００１】
本発明は、音声信号の編集に用いて好適なオーディオミキサおよびプログラムに関する。
【背景技術】
【０００２】
特許文献１に開示されたデジタルミキサにおいては、外部から供給された様々な音声信号が入力ポートに入力される。また、これら入力ポートに入力された信号が入力チャンネル調整部に供給され、ここで音量や周波数特性等の調整が行われる。入力ポートと入力チャンネルとの対応関係を決定するものは入力パッチと呼ばれる。各入力チャンネル調整部において調節された信号は複数のＭＩＸバスに供給され、ここで複数の入力チャンネルの信号がミキシングされる。そして、これらのミキシング結果は、各ＭＩＸバス毎に設けられたＭＩＸ出力チャンネル調整部に供給され、ここでさらに音量や周波数特性等の調整が行われる。そして、ＭＩＸ出力チャンネル調整部からの出力信号は、客席への放音や、録音などに使用される。
【０００３】
ここで、音声の録音および再生を行うレコーダをデジタルミキサに接続する場合には、何れかのＭＩＸ出力チャンネルの出力信号が録音信号としてレコーダに供給され、レコーダから出力される再生信号が入力パッチ部を介して何れかの入力チャンネル調整部に供給されるように、レコーダをデジタルミキサに接続することが一般的である。また、ユーザは、各入力チャンネルまたはＭＩＸ出力チャンネルの信号を、ＣＵＥ信号として適宜選択してその音声を監視することができる。
【０００４】
【特許文献１】特許第３６６１６２２号公報
【発明の開示】
【発明が解決しようとする課題】
【０００５】
上述した従来のデジタルミキサにおいては、ユーザは「レコーダに供給される録音信号」または「レコーダから入力される再生信号」をＣＵＥ信号として選択することができなかった。一方、このようにレコーダの再生信号および録音信号が監視できないことは、実際は特に不便なことではなかった。これは、一般的にレコーダにはモニタ用の端子が設けられており、再生信号および録音信号の監視はレコーダそのものを用いて行えばよかったからである。
【０００６】
ところで、本出願人は、例えばUSBメモリなどの着脱可能な不揮発性メモリを記憶媒体とするレコーダをデジタルミキサに内蔵し、所望の出力チャンネルの信号が録音でき、再生した信号を所望の入力チャンネルに供給できるようにすることを検討している。外部接続されたレコーダであれば、該レコーダのヘッドフォン端子からの信号を検聴することにより録音する信号や再生された信号の確認を行うことができるが、この内蔵するレコーダでは、その確認を簡単には行うことができない。すなわち、録音する信号の確認する際は、どの出力チャンネルの信号を録音しているかを判別して、その出力チャンネルのCUEを行わねばならず、また、再生された信号を確認する際は、再生した信号がどの入力チャンネルに供給されているかを判別して、その入力チャンネルのCUEを行わねばならない。
この発明は上述した事情を鑑みてなされたものであり、内蔵されたレコーダの入出力信号を簡単な操作で監視することができるオーディオミキサおよびプログラムを提供することを目的としている。
【課題を解決するための手段】
【０００７】
上記課題を解決するため本発明にあっては、下記構成を具備することを特徴とする。なお、括弧内は例示である。
請求項１記載のオーディオミキサにあっては、それぞれ供給される信号を混合し、混合信号を出力する複数のミキシングバス（１１２）と、それぞれ入力される信号の特性を調整して前記ミキシングバス（１１２）に選択的に供給する複数の入力チャンネル（１１０）と、前記各ミキシングバス（１１２）に対応して設けられ、前記各混合信号の特性を調整して出力する複数の出力チャンネル（１１６）と、供給される信号を記憶媒体（３４）に記録する機能と、該記憶媒体（３４）に記憶された信号を再生して出力する機能とを備えたレコーダ（１２）と、前記複数の出力チャンネル（１１６）の出力信号のうち何れか一つを選択し、選択した出力信号を前記レコーダ（１２）に供給する録音選択手段（１２０）と、前記レコーダ（１２）から再生された再生信号を、前記複数の入力チャンネル（１１０）のうち任意のものに供給する出力先選択手段（１０８）と、供給された信号をキュー信号（ＣＵＥ信号）として出力するキュー信号出力手段（１１４）と、前記複数の入力チャンネル（１１０）の出力信号、前記複数の出力チャンネル（１１６）の出力信号、および前記録音選択手段の出力信号のうち何れかの信号のキュー指示（ＣＵＥボタンまたはＣＵＥキーの押下）に応じて、その指示された信号を選択的に前記キュー信号出力手段（１１４）に供給するキュー信号制御手段（ＣＰＵ２２，ＳＰ２８）とを有することを特徴とする。
また、請求項２記載のオーディオミキサにあっては、それぞれ供給される信号を混合し、混合信号を出力する複数のミキシングバス（１１２）と、それぞれ入力される信号の特性を調整して前記ミキシングバス（１１２）に選択的に供給する複数の入力チャンネル（１１０）と、前記各ミキシングバス（１１２）に対応して設けられ、前記各混合信号の特性を調整して出力する複数の出力チャンネル（１１６）と、供給される信号を記憶媒体（３４）に記録する機能と、該記憶媒体（３４）に記憶された信号を再生して出力する機能とを備えたレコーダ（１２）と、前記複数の出力チャンネル（１１６）の出力信号のうち一つを選択し、選択した出力信号を前記レコーダ（１２）に供給する録音選択手段（１２０）と、前記レコーダ（１２）から再生された再生信号を、前記複数の入力チャンネル（１１０）のうち任意のものに供給する出力先選択手段（１０８）と、供給される信号をキュー信号（ＣＵＥ信号）として出力するキュー信号出力手段（１１４）と、前記複数の入力チャンネル（１１０）の出力信号、前記複数の出力チャンネル（１１６）の出力信号、および前記レコーダ（１２）によって再生された再生信号のうち何れかの信号のキュー指示（ＣＵＥボタンまたはＣＵＥキーの押下）に応じて、その指示された信号を選択的に前記キュー信号出力手段（１１４）に供給するキュー信号制御手段（ＣＰＵ２２，ＳＰ２８）とを有することを特徴とする。
また、請求項３記載のプログラムにあっては、それぞれ供給される信号を混合し、混合信号を出力する複数のミキシングバス（１１２）と、それぞれ入力される信号の特性を調整して前記ミキシングバス（１１２）に選択的に供給する複数の入力チャンネル（１１０）と、前記各ミキシングバス（１１２）に対応して設けられ、前記各混合信号の特性を調整して出力する複数の出力チャンネル（１１６）と、供給される信号を記憶媒体（３４）に記録する機能と、該記憶媒体（３４）に記憶された信号を再生して出力する機能とを備えたレコーダ（１２）と、前記複数の出力チャンネル（１１６）の出力信号のうち一つを選択し、選択した出力信号を前記レコーダ（１２）に供給する録音選択手段（１２０）と、前記レコーダ（１２）から再生された再生信号を、前記複数の入力チャンネル（１１０）のうち任意のものに供給する出力先選択手段（１０８）と、供給される信号をキュー信号（ＣＵＥ信号）として出力するキュー信号出力手段（１１４）と、処理装置（２２）とを有するオーディオミキサに適用されるプログラムであって、前記複数の入力チャンネル（１１０）の出力信号、前記複数の出力チャンネル（１１６）の出力信号、および前記録音選択手段の出力信号のうち何れかの信号のキュー指示（ＣＵＥボタンまたはＣＵＥキーの押下）に応じて、その指示された信号を選択的に前記キュー信号出力手段（１１４）に供給する過程（ＳＰ２８）を前記処理装置（２２）に実行させることを特徴とする。
また、請求項４記載のプログラムにあっては、それぞれ供給される信号を混合し、混合信号を出力する複数のミキシングバス（１１２）と、それぞれ入力される信号の特性を調整して前記ミキシングバス（１１２）に選択的に供給する複数の入力チャンネル（１１０）と、前記各ミキシングバス（１１２）に対応して設けられ、前記各混合信号の特性を調整して出力する複数の出力チャンネル（１１６）と、供給される信号を記憶媒体（３４）に記録する機能と、該記憶媒体（３４）に記憶された信号を再生して出力する機能とを備えたレコーダ（１２）と、前記複数の出力チャンネル（１１６）の出力信号のうち一つを選択し、選択した出力信号を前記レコーダ（１２）に供給する録音選択手段（１２０）と、前記レコーダ（１２）から再生された再生信号を、前記複数の入力チャンネル（１１０）のうち任意のものに供給する出力先選択手段（１０８）と、供給される信号をキュー信号（ＣＵＥ信号）として出力するキュー信号出力手段（１１４）と、処理装置（２２）とを有するオーディオミキサに適用されるプログラムであって、前記複数の入力チャンネル（１１０）の出力信号、前記複数の出力チャンネル（１１６）の出力信号、および前記レコーダ（１２）によって再生された再生信号のうち何れかの信号のキュー指示（ＣＵＥボタンまたはＣＵＥキーの押下）に応じて、その指示された信号を選択的に前記キュー信号出力手段（１１４）に供給する過程（ＳＰ２８）を前記処理装置（２２）に実行させることを特徴とする。
【発明の効果】
【０００８】
このように、キュー信号制御手段において録音選択手段の出力信号またはレコーダによって再生された再生信号を選択できる構成によれば、通常の入出力チャンネルの信号と同様に、レコーダの入出力信号を監視することができる。
【発明を実施するための最良の形態】
【０００９】
1．実施例の構成
1．1．ハードウエア構成
次に、本発明の一実施例のデジタルミキサ１のハードウエア構成を図１を参照し説明する。
図において２は表示器であり、例えば「１０２４×７６８」程度の解像度を有するフラットパネルディスプレイによって構成されている。また、表示器２はタッチパネルを備えており、表示されているボタンに対する押下等の操作を検出できるように構成されている。４は電動フェーダ群であり、操作者の操作に基づいて各入出力チャンネルの信号レベルを調節する。さらに、電動フェーダ群４は、バスライン１８を介して操作コマンドが供給されると、その操作位置が自動設定されるように構成されている。なお、詳細は後述するが、電動フェーダ群４は、複数の（Ｐ系統の）電動フェーダ２４４−１〜２４４−Ｐ（図２参照）から構成されている。
【００１０】
６は操作子群であり、各種のスイッチ、ノブおよびＬＥＤキーから構成され、ＬＥＤキーに内蔵されたＬＥＤの点滅状態はバスライン１８を介して設定される。ノブは各入出力チャンネルの左右の音量バランスを設定するノブ２４９−１〜２４９−Ｐ(図２参照)等から構成されている。そして、これらノブの操作量はバスライン１８を介して出力される。８は波形Ｉ／Ｏ部であり、アナログ音声信号またはデジタル音声信号を入出力する。
【００１１】
本実施例においては、各種音声信号のミキシング処理・効果処理等は全てデジタル処理により実行される。しかし、外部から入力される音声信号および外部に出力すべき音声信号はデジタル、アナログ信号の双方が考えられる。このため、波形Ｉ／Ｏ部８においては、アナログ信号とデジタル信号間の変換、複数種類のデジタル信号相互間の変換等の処理が行われる。
【００１２】
次に、１０は信号処理部であり、一群のＤＳＰ（デジタル・シグナル・プロセッサ）によって構成されている。信号処理部１０は、波形Ｉ／Ｏ部８を介して供給されたデジタル音声信号に対してミキシング処理や効果処理を施し、その結果を波形Ｉ／Ｏ部８に出力する。１４はＵＳＢ・Ｉ／Ｏ部であり、コネクタ１６に挿入されたＵＳＢメモリ３４に対して各種データの書き込みや読み出しを行う。１２は内蔵レコーダであり、信号処理部１０から供給されたデジタル音声信号に対してＭＰ３形式の圧縮処理を行い、その結果をＵＳＢ・Ｉ／Ｏ部１４を用いてＵＳＢメモリ３４に書き込むとともに、ＵＳＢ・Ｉ／Ｏ部１４を用いてＵＳＢメモリ３４からＭＰ３形式のデータを読み出し伸長処理を施して、その伸長結果のデジタル音声信号を信号処理部１０に供給する。
【００１３】
ここで、ＵＳＢメモリ３４に対して入出力されるデータは、内蔵レコーダ１２を介して入出力される音声信号の他、バスライン１８を介して入出力される信号処理部１０の設定データなどが含まれる。これらのデータは、通常のコンピュータ等においても読出し／編集が可能になるように、所定のファイルシステムおよび所定のファイル形式でＵＳＢメモリ３４内に記録される。２０はその他Ｉ／Ｏ部であり、各種の外部機器との間でデータを入出力する。２２はＣＰＵであり、後述する制御プログラムに基づいて、バスライン１８を介して各部を制御する。２４はフラッシュメモリであり、その内部のプログラム領域には上記制御プログラムが記憶されている。２８はＲＡＭであり、ＣＰＵ２２のワークメモリとして使用される。
【００１４】
本実施例のミキシングシステムにおいては、当該システムの現在の動作を制御する各種パラメータ（カレントデータ）がＲＡＭ２８の所定領域（カレント領域）に記憶されている。すなわち、電動フェーダ群４または操作子群６を操作することによりカレントデータの内容が更新され、また、該カレントデータに基づいて信号処理部１０におけるミキシング処理や効果処理、表示器２における表示状態、操作子群６のＬＥＤの点滅状態、電動フェーダ群４の各フェーダの位置などが制御される。
【００１５】
1．2．実施例のミキシングアルゴリズム構成
1．2．1．全体構成
次に、信号処理部１０等において実現されるアルゴリズムの内容を図３を参照し説明する。なお、当該アルゴリズムは信号処理部１０に設定されるプログラムによって実現されるものであり、該プログラムは、ＣＰＵ２２の制御の下、フラッシュメモリ２４等から信号処理部１０にロードされる。
図３において１０２はアナログ入力部であり、マイクレベルまたはラインレベルのアナログ音声信号を受信すると、これをデジタル音声信号に変換し、信号処理部１０に供給する。１０４はデジタル入力部であり、デジタル音声信号を受信すると、これを信号処理部１０内部のフォーマットに変換する。１２２はアナログ出力部であり、信号処理部１０から供給されたデジタル音声信号をアナログ音声信号に変換し外部に出力する。１２４はデジタル出力部であり、信号処理部１０から供給された内部フォーマットのデジタル音声信号を所定フォーマット（ＡＥＳ／ＥＢＵ，ＡＤＡＴ，ＴＡＳＣＡＭ等）のデジタル音声信号に変換し出力する。
【００１６】
以上に述べた構成は、信号処理部１０とは別体のハードウェアである波形Ｉ／Ｏ部８およびここに挿入される各種カードによって実現されており、図３の内蔵レコーダ１２は、図１のレコーダ１２、ＵＳＢ・Ｉ／Ｏ部１４、コネクタ１６、およびＵＳＢメモリ３４で構成されるが、それ以外の構成は、波形処理部１０において動作するプログラムによって実現されている。１１０は入力チャンネル調整部であり、操作パネル上の電動フェーダおよび操作子の操作に基づいて、最大「２４」チャンネルの入力チャンネルに対して音量・音質等の調整を行う。
【００１７】
１０８は入力パッチ部であり、ユーザの指示に応じて、入力チャンネル調整部１１０の各入力チャンネルの入力（受信側）に対し、入力部１０２、１０４、内蔵レコーダ１２等の各ブロックからの複数の出力（送信側）のうちの任意の１の出力を接続し、各入力チャンネルにその接続されたブロックからのデジタル音声信号を選択的に供給する。１１２はＭＩＸバス群であり、「１２」系統のＭＩＸバスから構成されている。各ＭＩＸバスにおいては、各入力チャンネルのデジタル音声信号のうち当該ＭＩＸバスに供給されたものがミキシングされる。各入力チャンネルにおいては、音声信号をＭＩＸバスに供給するか否かを各ＭＩＸバス毎に設定することができ、供給する場合には各ＭＩＸバスに対するセンドレベル等も系統毎に独立して設定することができる。
【００１８】
次に、１１６はＭＩＸ出力チャンネル調整部であり、上記各ＭＩＸバスにおけるミキシング結果に対して、レベル調節および音質調節等を行なう。１１８は出力パッチ部であり、ユーザの指示に応じて、各出力部１２２、１２４の各出力ポートの入力（受信側）に対し、ＭＩＸ出力チャンネル調整部１１６の複数の出力チャンネルの出力（送信側）のうちの任意の一の出力を接続し、各出力ポートにその接続された出力チャンネルからのデジタル音声信号を選択的に供給する。１２０は録音セレクタであり、１２０は録音セレクタであり、ＭＩＸ出力チャンネルの中から、内蔵レコーダ１２を介してＵＳＢメモリ３４に録音すべきチャンネルを選択する。
【００１９】
ところで、デジタルミキサ１において、ユーザがヘッドホン等を用いて監視する信号（以下、ユーザ向け放音信号という）には、「モニタ信号」と「ＣＵＥ信号」の二種類がある。ここで、モニタ信号は通常の状態で監視する信号であり、ＣＵＥ信号は一時的に監視する信号である。また、ＣＵＥ信号およびモニタ信号は、それぞれ一または複数の音声信号をミキシングして生成される。ＣＵＥ信号を生成するためにミキシングの対象になる信号を「ＣＵＥ対象信号」といい、モニタ信号を生成するためにミキシングの対象になる信号を「モニタ対象信号」という。
【００２０】
１１４はＣＵＥバスであり、デジタルミキサ１内の各部の信号のうち、ＣＵＥ対象信号として選択された一または複数の信号をミキシングし、このミキシング結果をＣＵＥ信号として出力する。ここで、ＣＵＥ対象信号として選択され得る信号は、例えば、入力チャンネル調整部１１０およびＭＩＸ出力チャンネル調整部１１６の各部の信号、内蔵レコーダ１２への入出力信号である。１２６，１２８は内蔵レコーダ１２のＣＵＥオンオフ切換部であり、内蔵レコーダ１２の出力信号および入力信号をＣＵＥ対象信号としてＣＵＥバス１１４に供給するか否かを切り替える。但し、ＣＵＥオンオフ切換部１２６，１２８は、両者のうち一方のみをオン状態に設定することができ、一方がオン状態に設定されたのであれば、他方は強制的にオフ状態に設定される。
【００２１】
１３０はモニタセレクタであり、デジタルミキサ１内の各部の信号から、モニタ対象信号として一または複数の信号を選択する。ここで、モニタ対象信号として選択され得る信号は、アナログ入力部１０２の一部の出力信号、内蔵レコーダ１２の出力信号およびＭＩＸ出力チャンネルの出力信号等である。１３２はモニタ用ミキサであり、モニタセレクタ１３０において選択された一または複数のモニタ対象信号をミキシングし、その結果をモニタ信号として出力する。１３４は切換部であり、ユーザ向け放音信号としてモニタ信号またはＣＵＥ信号のうち一方を選択する。但し、ＣＵＥ信号が選択された場合には、モニタ信号を完全に消音するのではなく、ＣＵＥ信号に対してモニタ信号を若干ミキシングした結果をユーザ向け放音信号にすることができる。
【００２２】
1．2．2．入力チャンネル部
次に、入力チャンネル調整部１１０におけるアルゴリズム構成の詳細を図４を参照し説明する。図において１１０−ｎは第ｎ入力チャンネル調整部であり、第ｎ入力チャンネル（１≦ｎ≦２４）における音質・音量調整を行う。従って、入力チャンネル調整部１１０は、「２４」系統の第ｎ入力チャンネル調整部１１０−ｎによって構成されている。第ｎ入力チャンネル調整部１１０−ｎの内部において１５０は音質調整部であり、第ｎ入力チャンネルにおけるリミッタ処理、コンプレッサ処理、イコライザ処理等を行う。１５２は音量調整部であり、第ｎ入力チャンネルの音声信号のゲインを調節する。１５４はオンオフ切換部であり、第ｎ入力チャンネルの音声信号のオンオフを切り換える。
【００２３】
１６０−１〜１６０−１２は信号切換部であり、第ｎ入力チャンネルから「１２」系統のＭＩＸバスに各々出力され得る音声信号を「プリフェード」または「ポストフェード」のうち一方から選択する。すなわち、「プリフェード」が選択されると、音質調整部１５０の出力信号が選択され、「ポストフェード」が選択されるとオンオフ切換部１５４の出力信号が選択される。１６２−１〜１６２−１２はセンドレベル調節部であり、各ＭＩＸバスに出力する信号のゲインすなわちセンドレベルを調節する。１６４−１〜１６４−１２はセンドオンオフ切換部であり、各ＭＩＸバスに対する音声信号供給のオン／オフ状態を設定する。１５８はＣＵＥオンオフ切換部であり、当該第ｎ入力チャンネルの音声信号をＣＵＥ対象信号としてＣＵＥバス１１４に供給するか否かを切り替える。１５６は信号切換部であり、ＣＵＥバス１１４に出力され得る音声信号を「プリフェード」または「ポストフェード」のうち一方から選択する。
【００２４】
1．2．3．出力チャンネル部
次に、ＭＩＸ出力チャンネル調整部１１６におけるアルゴリズム構成の詳細を図５を参照し説明する。
図において１１６−ｍは第ｍＭＩＸ出力チャンネル調整部であり、第ｍＭＩＸ出力チャンネル（１≦ｍ≦１２）における音質・音量調整を行う。従って、ＭＩＸ出力チャンネル調整部１１６は、「１２」系統の第ｍＭＩＸ出力チャンネル調整部１１６−ｍによって構成されている。第ｍＭＩＸ出力チャンネル調整部１１６−ｍの内部において１７２は音質調整部であり、第ｍＭＩＸ出力チャンネルにおけるリミッタ処理、コンプレッサ処理、イコライザ処理等を行う。１７８は音量調整部であり、該出力チャンネルの出力ゲインを調節する。１８０はオンオフ切換部であり、第ｍＭＩＸ出力チャンネルのオン／オフ状態を切り換える。
【００２５】
１７６は信号切換部であり、第ｍＭＩＸ出力チャンネルからＣＵＥバス１１４に出力され得る音声信号を「プリフェード」または「ポストフェード」のうち一方から選択する。すなわち、「プリフェード」が選択されると、音質調整部１７２の出力信号が選択され、「ポストフェード」が選択されるとオンオフ切換部１８０が選択される。１７４はＣＵＥオンオフ切換部であり、当該第ｍＭＩＸ出力チャンネルの音声信号をＣＵＥ対象信号としてＣＵＥバス１１４に供給するか否かを切り替える。
【００２６】
1．3．パネル構成
次に、デジタルミキサ１の操作パネルの要部の平面図を図２に示す。上述したように、デジタルミキサ１は「２４」入力チャンネルを有しているが、これら入力チャンネルは「１２」チャンネルづつの「２」レイヤに分割される。また、「１２」ＭＩＸ出力チャンネルは「１」レイヤ（マスタレイヤ）にまとめられている。２０４，２０６，２０８はレイヤ・キーであり、これら何れかのレイヤを択一的に選択する。また、これらキーにはＬＥＤが内蔵され、選択されているレイヤに係るＬＥＤが点灯状態にされる。なお、本明細書においてその他「キー」の名称が付されている構成要素には、全てＬＥＤが内蔵されており、当該キーに係るパラメータがオン状態になると、そのＬＥＤが点灯状態になる。２２０〜２２６はカーソルボタンであり、表示器２上に表示されたカーソルを上下左右方向に移動する。２３０はインクリメントキー、２３２はデクリメントキー、２３３はジョグダイヤルであり、カーソル位置に表示された数値等を増減する。２３４はＥＮＴＥＲキーであり、カーソル位置に表示された数値等を確定する。
【００２７】
また、２４０−１〜２４０−Ｐはチャンネルストリップであり、各チャンネルストリップは選択されたレイヤに属する入出力チャンネル、およびレイヤの選択状態にかかわらず操作が必要なチャンネル等に割り当てられる。チャンネルストリップ２４０−１の内部において、２４２−１はＣＵＥキーであり、対応する入出力チャンネルの音声信号をＣＵＥ対象信号としてＣＵＥバス１１４に供給するか否か、すなわちＣＵＥオンオフ切換部１５８，１７４（図４，５参照）のオン／オフ状態を切り替える。２４４−１は電動フェーダであり、対応する入出力チャンネルの音量、すなわち音量調整部１５２，１７８のゲインを調節する。２４６−１はオン／オフ・キーであり、対応する入出力チャンネルのオンオフ切換部１５４，１８０におけるオン／オフ状態を設定する。また、２４８−１はＳＥＬキーであり、チャンネルストリップ２４０−１に係る入出力チャンネルを択一的に「選択状態」に設定する。
【００２８】
ここで「選択状態」とは、音質調整部１５０やセンドレベル調節部１６２−１〜１６２−１２等に対する詳細な設定を行うべきチャンネルとして選択された状態の意である。また、２４９−１はノブであり、該チャンネルストリップ２４０−１が入力チャンネルに割当てられている場合には、当該入力チャンネルのＰＡＮなどを設定する。そして、他のチャンネルストリップ２４０−ｉ（１≦ｉ≦Ｐ）においても、チャンネルストリップ２４０−１と同様に、ＣＵＥキー２４２−ｉ、電動フェーダ２４４−ｉ、オン／オフ・キー２４６−ｉ、ＳＥＬキー２４８−ｉおよびノブ２４９−ｉが各々設けられている。
【００２９】
また、２５０はヘッドフォン端子であり、図示せぬヘッドフォンを介してユーザ向け放音信号（ＣＵＥ信号またはモニタ信号）を放音する。２５２は音量調節ノブであり、ヘッドフォンに供給される音声信号レベルを調節する。２６０はモニタ用選択スイッチ群であり、モニタセレクタ１３０（図３参照）における各信号のオン／オフ状態をトグルで切り替える。
【００３０】
2．実施例の動作
2．1．変数およびパラメータ
以下、本実施例の動作について説明するが、最初に本実施例において使用される一時変数やパラメータについて説明しておく。
(１)チャンネル番号c（またはch）：これは、入出力チャンネル等に対して与えられる番号である。まず、第１〜第２４入力チャンネルに対しては、それぞれ「１」〜「２４」のチャンネル番号cが与えられる。また、第１〜第１２ＭＩＸ出力チャンネルには、それぞれ「２５」〜「３６」のチャンネル番号cが与えられる。また、内蔵レコーダ１２の入力端には「３７」、出力端には「３８」のチャンネル番号cが与えられる。
【００３１】
(２)ＣＵＥオンパラメータＣＯＮ（c）：これは、チャンネルｃのＣＵＥオンオフ切換部１２６，１２８，１５８，１７４がオン状態であるか否か、すなわちチャンネルｃの音声信号がＣＵＥ対象信号として選択されているか否かを示すパラメータであり、ＣＯＮ（c）が“１”に設定された場合は、チャンネルｃのＣＵＥオンオフ切換部がオン状態となり、チャンネルｃの音声信号がＣＵＥバス１１４に供給される。また、ＣＯＮ（c）が “０”に設定された場合は、チャンネルｃのCUEオンオフ切換え部がオフ状態となる。
【００３２】
(３)キューモードＭＣ：これは、“０”（単一ＣＵＥモード）または“１”（ＭＩＸ・ＣＵＥモード）の何れかに設定されるパラメータである。“０”（単一ＣＵＥモード）においては、「１」チャンネルの音声信号のみをＣＵＥ対象信号として選択することができ、“１”（ＭＩＸ・ＣＵＥモード）においては一定の条件下で複数チャンネルの音声信号をＣＵＥ対象信号として選択することができる。なお、何れのキューモードＭＣを選択するかは、ユーザが適宜指定することが可能である。ここで、「一定の条件」とは、「全てのＣＵＥ対象信号が入力チャンネルの音声信号である」、または「全てのＣＵＥ対象信号がＭＩＸ出力チャンネルの音声信号である」のうち何れかを満たすことである。従って、任意のタイミングにおいてＣＵＥ対象信号として選択されている一または複数の音声信号の全ては、「入力チャンネル」、「ＭＩＸ出力チャンネル」または「レコーダ」のうち何れか一の共通のグループに属していることになる。このグループを「ＣＵＥ対象グループ」という。ここで、あるグループの１ないし複数の音声信号が ＣＵＥ対象信号として選択されているときに、そのグループとは別のグループの音声信号を新たなＣＵＥ対象信号として選択する操作が行われた場合には、該あるグループの該選択が全て解除され、該別のグループの該音声信号が新たなＣＵＥ対象信号として選択されるとともに、ＣＵＥ対象グループが該あるグループから該別のグループへ移行する。
【００３３】
(４)ＣＵＥステートＣＳ：これは、現在ＣＵＥ対象信号として選択されている音声信号のＣＵＥ対象グループを表すパラメータである。すなわち、ＣＵＥ対象グループが入力チャンネルの場合には“１”、ＭＩＸ出力チャンネルの場合には“２”、レコーダの場合には“３”に設定される。また、ＣＵＥ対象信号として何れの音声信号も選択されていない場合には、ＣＵＥステートＣＳは“０”に設定される。
【００３４】
2．2．ＣＵＥキー・オンイベント処理（図６）
2．2．1．オン状態からオフ状態への切換
チャンネルストリップ２４０−ｉ内のＣＵＥキー２４２−ｉが押下されると、図６に示すＣＵＥキー・オンイベント処理ルーチンが起動される。図６において処理がステップＳＰ２に進むと、レイヤ番号ＬＮと、チャンネルストリップ番号ｉとに基づいて、ＣＵＥキー２４２−ｉに係るチャンネルｃが特定される。このチャンネルｃは、入力チャンネルまたはＭＩＸ出力チャンネルのうち何れかである。次に、処理がステップＳＰ４に進むと、ＣＵＥオンパラメータＣＯＮ（c）が“０”（オフ状態）であるか否かが判定される。
【００３５】
ＣＵＥキー２４２−ｉが押下される前にチャンネルｃの音声信号がＣＵＥ対象信号であった場合はＣＵＥオンパラメータＣＯＮ（c）は“１”（オン状態）であるから、ステップＳＰ４において「ＮＯ」と判定され、処理はステップＳＰ６に進む。ここでは、ＣＵＥオンパラメータＣＯＮ（c）が“０”（オフ状態）に変更される。次に、処理がステップＳＰ８に進むと、キューモードＭＣが“０”であるか否かが判定される。ここで、キューモードＭＣが“０”（単一ＣＵＥモード）であった場合には、ステップＳＰ８において「ＹＥＳ」と判定され、処理はステップＳＰ１２に進む。
【００３６】
今回のようにキューモードＭＣが“０”（単一ＣＵＥモード）であったのであれば、先のステップＳＰ６においてチャンネルｃのＣＵＥオンパラメータＣＯＮ（c）がオン状態からオフ状態に変更されたことにより、ＣＵＥ対象信号として選択されている信号は存在しない筈である。このため、ステップＳＰ１２においては、切換部１３４においてモニタ信号がユーザ向け放音信号として選択される。次に、処理がステップＳＰ１４に進むと、ＣＵＥステートＣＳが“０”（グループ無）に設定され、本ルーチンの処理が終了する。
【００３７】
一方、キューモードＭＣが“１”（ＭＩＸ・ＣＵＥモード）であった場合には、ステップＳＰ８において「ＮＯ」と判定され、処理はステップＳＰ１０に進む。ここでは、ＣＵＥ対象信号として選択し得る全チャンネルのＣＵＥオンパラメータＣＯＮが“０”（オフ状態）であるか否かが決定される。この決定処理としては、 ＣＵＥステートＣＳの示すＣＵＥオンパラメータＣＯＮ（c）を判定すれば充分であり、必ずしも全てのチャンネルのチェックをしなくてよい。ここで、少なくとも一のチャンネルに係るＣＵＥオンパラメータＣＯＮ（c）が“１”（オン状態）であれば「ＮＯ」と判定され、本ルーチンの処理は終了する。従って、以後は、ＣＵＥオンパラメータＣＯＮがオン状態である残りの音声信号に基づいてＣＵＥ信号が引き続き生成され続けられ放音される。一方、全チャンネルのＣＵＥオンパラメータＣＯＮが“０”（オフ状態）であればステップＳＰ１０において「ＹＥＳ」と判定され、上述したステップＳＰ１２およびＳＰ１４の処理が実行される。
【００３８】
2．2．2．オフ状態からオン状態への切換
ＣＵＥキー２４２−ｉが押下される前にチャンネルｃの音声信号がＣＵＥ対象信号でなかった場合はＣＵＥオンパラメータＣＯＮ（c）は“０”（オフ状態）である。従って、上記ステップＳＰ４において「ＹＥＳ」と判定され、処理はステップＳＰ１６に進む。ここでは、現在のＣＵＥステートＣＳが、チャンネルｃの属するグループに一致しているか否か、すなわち当該ＣＵＥ対象グループの音声信号がＣＵＥ対象信号として選択されている状態であるか否かが判定される。
【００３９】
ここで「ＮＯ」と判定されると、処理はステップＳＰ１８に進み、全チャンネルのＣＵＥオンパラメータＣＯＮが“０”（オフ状態）にクリアされる。このクリア処理としては、ＣＵＥステートＣＳの示すグループのオン状態にあるＣＵＥオンパラメータＣＯＮ（c）をクリアすれば充分であり、必ずしも全チャンネルのＣＵＥオンパラメータＣＯＮ（c）に“０”を書き込む必要はない。次に、処理がステップＳＰ２０に進むと、切換部１３４においてユーザ向け放音信号としてＣＵＥ信号が選択される。次に、処理がステップＳＰ２２に進むと、チャンネルｃの属するグループ番号がＣＵＥステートＣＳに設定される。一方、チャンネルｃがＣＵＥステートＣＳに係るグループに属する場合には、ステップＳＰ１６において「ＹＥＳ」と判定され、上記ステップＳＰ１８〜ＳＰ２２はスキップされる。
【００４０】
次に、処理がステップＳＰ２４に進むと、キューモードＭＣが“０”（単一ＣＵＥモード）であるか否かが判定される。ここで「ＹＥＳ」と判定されると処理はステップＳＰ２８に進み、ＣＵＥオンパラメータＣＯＮ（c）が“１”（オン状態）に設定されるとともに、他の全てのチャンネルに係るＣＵＥオンパラメータＣＯＮが“０”（オフ状態）に設定される。ＣＵＥオンパラメータＣＯＮ（c）が“１”のチャンネルは存在したとしてもＣＵＥステートＣＳの示すグループの１チャンネルだけであり、ここではそのチャンネルのＣＵＥオンパラメータＣＯＮ（c）さえ“０”に設定すればそれで充分である。一方、キューモードＭＣが“１”（ＭＩＸ・ＣＵＥモード）であれば処理はステップＳＰ２６に進み、ＣＵＥオンパラメータＣＯＮ（c）が“１”（オン状態）に設定される。なお、ステップＳＰ２６においては、他のチャンネルに係るＣＵＥオンパラメータＣＯＮは変更されないため、チャンネルｃの音声信号は、ＣＵＥオンパラメータＣＯＮがオン状態である他の音声信号とともにミキシングされ、その結果がＣＵＥ信号として出力される。
【００４１】
2．3．各種設定画面の表示（図７）
2．3．1．レコーダ設定画面３００
ユーザが所定の操作を行うと、図７に示すレコーダ設定画面３００が表示器２に表示される。レコーダ設定画面３００の内部において３１０は録音信号設定部であり、ＵＳＢメモリ３４に記録される録音信号に係る各種のパラメータを設定する。３１２は左チャンネル指定部、３１４は右チャンネル指定部であり、ステレオ録音される左右の音声信号の供給元としてＭＩＸ出力チャンネルを一チャンネルづつ指定する。３１６は録音レベル表示部であり、左右の録音信号の録音レベルを表示する。３１８は録音ゲイン設定部であり、左右の録音信号の録音ゲインを設定する。
【００４２】
３２０は再生信号設定部であり、ＵＳＢメモリ３４から再生される再生信号に係るパラメータを設定する。３２２は左チャンネル指定部、３２４は右チャンネル指定部であり、左右の再生信号の供給先として一または複数の入力チャンネルを指定することができる。但し、チャンネル指定部３２２，３２４には一つのチャンネル番号しか表示できるスペースがないので、複数の入力チャンネルが指定された場合は、その中の最小のチャンネル番号のみを表示し、その後に「＋」を付与して表示することで、それ以外の入力チャンネルの存在を示すようにしている。
【００４３】
図示の例においては、左チャンネル指定部３２２においては「ＣＨ１５＋」と表示されているから、左チャンネルの再生信号は、第１５入力チャンネルに供給されるとともに、少なくとも一の他の入力チャンネルに供給されることが解る。同様に、右チャンネル指定部３２４においては「ＣＨ１６＋」と表示されているから、右チャンネルの音声信号は、第１６入力チャンネルに供給されるとともに、少なくとも一の他の入力チャンネルに供給されることが解る。３２６は再生レベル表示部であり、左右の再生信号のレベルを表示する。
【００４４】
次に、３３０は録音ＣＵＥボタンであり、押下されるとＣＵＥオンオフ切換部１２８のオン／オフ状態を切り替える。また、３３６は再生ＣＵＥボタンであり、押下されるとＣＵＥオンオフ切換部１２６のオン／オフ状態を切り替える。ＣＵＥボタン３３０，３３６は、対応するＣＵＥオンオフ切換部１２６，１２８がオン状態に設定されると点灯状態になる（図上ではハッチングで表示する）。但し、上述したように、ＣＵＥオンオフ切換部１２６，１２８は、両者のうち一方のみをオン状態に設定することができるから、ＣＵＥボタン３３０，３３６のうち点灯するボタンも一方のみである。
【００４５】
３３２，３３４は動作状態表示部である。ＵＳＢメモリ３４に対して音声信号を録音している状態では動作状態表示部３３２が点灯され、ＵＳＢメモリ３４から音声信号を再生している場合には動作状態表示部３３４が点灯される。また、ＵＳＢメモリ３４に対する録音／再生とも実行されていない場合には、動作状態表示部３３２，３３４の双方が消灯される。なお、ＵＳＢメモリ３４に対する録音および再生を同時に行うことはできないため、動作状態表示部３３２，３３４が同時に点灯されることはない。
【００４６】
次に、３４０は録音・再生操作部であり、録音・再生に係る各種のパラメータの表示および操作を行う。録音・再生操作部３４０の内部において３４２はタイトル表示部であり、録音・再生に係る音声ファイルのタイトル（曲名）を表示する。３４４は演奏者名表示部であり、該音声ファイルに記録された楽曲の演奏者名を表示する。３４６はタイムコード表示部であり、現在の録音・再生位置を表すタイムコードを表示する。３４８は圧縮形式表示部であり、該音声ファイルの圧縮形式を表示する。３５０は入力ビットレート表示部であり、録音セレクタ１２０から内蔵レコーダ１２に入力される音声信号のビットレートを表示する。
【００４７】
３５２は巻き戻しボタンであり、内蔵レコーダ１２の録音・再生位置を時間軸上で前方向に移動させる。３５４は停止ボタンであり、内蔵レコーダ１２の録音・再生動作を停止させる。３５６は再生・ポーズボタンであり、音声信号の再生およびその一時停止を行う。３５８は早送りボタンであり、録音・再生位置を時間軸上で後方向に移動させる。３６０は録音ボタンであり、内蔵レコーダ１２の録音動作を開始させる。３６２は再生モード設定部であり、ユーザはここを押下することによって各種の再生モードを選択することができる。３６６は再生モード表示部であり、現在選択されている再生モードを表示する。３６４は録音レート設定部であり、ユーザはここを押下することによって各種の録音レートを選択することができる。３６８は録音レート表示部であり、現在選択されている録音レートを表示する。
【００４８】
2．3．2．出力先設定ウィンドウ３７０
上記レコーダ設定画面３００においてユーザが左チャンネル指定部３２２または右チャンネル指定部３２４を押下すると、ＲＡＭ２８内のカレント領域の中から入力パッチ部１０８に対する設定データが読み出され、その読出し結果に基づいて、レコーダ設定画面３００に隣接するように（またはレコーダ設定画面３００に重なるように）、同一画面内に出力先設定ウィンドウ３７０が表示される。なお、図示の設定ウィンドウ３７０は、右チャンネル指定部３２４が押下された場合に表示される右チャンネル用の設定ウィンドウである。
【００４９】
出力先設定ウィンドウ３７０の内部において３７２は出力先選択ボタン群であり、第１〜第２４入力チャンネルに対応する「２４」の出力先選択ボタンから構成されている。これら出力先選択ボタンのうちハッチングを施しているボタン（図示の例では第１６，第２０入力チャンネル）はオン状態、すなわち対応する入力チャンネルが再生信号の出力先として選択されていることを表す。なお、出力先設定ウィンドウ３７０が表示された時点における各出力先選択ボタンのオン／オフ状態（初期設定状態）は、入力パッチ部１０８に対するその時点の設定データに基づいて決定される。すなわち、入力パッチ部１０８において、接続先として内蔵レコーダの右チャンネル出力が設定されている入力チャンネルについては、対応する出力先選択ボタンがオン状態に初期設定され、それ以外の入力チャンネルの出力先選択ボタンはオフ状態に初期設定される。
【００５０】
各出力先選択ボタンは、押下される毎にそのオン／オフ状態がトグルで切り替えられる。従って、ユーザは、「２４」の出力先選択ボタンのうち任意の一または複数のボタンをオン状態に設定することができる。３７４はＯＫボタンであり、これが押下されると各出力先選択ボタンのオン／オフ状態がカレントデータ内の入力パッチ部１０８の設定データに反映され、出力先設定ウィンドウ３７０が閉じられる。また、３７６はキャンセルボタンであり、これが押下されると入力パッチ部１０８の設定が変更されることなく出力先設定ウィンドウ３７０が閉じられる。以上、右チャンネル用の設定ウィンドウ３７０について説明したが、ユーザが左チャンネル指定部３２２を押下した場合には、左チャンネルに対して同様の設定ウィンドウが表示される。なお、ＯＫボタン３７４が押下されたとき、出力先選択ボタン群３７２の状態をカレントデータに反映させる処理については後述する。
【００５１】
2．3．3．入力元設定ウィンドウ３８０
また、レコーダ設定画面３００においてユーザが左チャンネル指定部３１２または右チャンネル指定部３１４を押下すると、レコーダ設定画面３００に隣接するように（またはレコーダ設定画面３００に重なるように）、同一画面内に入力元設定ウィンドウ３８０が表示される。入力元設定ウィンドウ３８０の内部において３８２は入力元選択ボタン群であり、第１〜第１２入力チャンネルに対応する「１２」の入力元選択ボタンから構成されている。これら入力元選択ボタンのうちハッチングを施している一のボタン（図示の例では第８ＭＩＸ出力チャンネル）はオン状態、すなわち対応するＭＩＸ出力チャンネルが入力元として選択されていることを表す。
【００５２】
これら入力元選択ボタンは、一のボタンのみをオン状態にすることができる。すなわち、現在オフ状態である何れかの入力元選択ボタンが押下されると、当該ボタンがオン状態に変更され、他の全ての入力元選択ボタンがオフ状態にされる。また、現在オン状態である一のボタンが押下されると、当該ボタンがオフ状態にされる結果として、全てのボタンがオフ状態にされる。３８４はＯＫボタンであり、これが押下されると各入力元選択ボタンのオン／オフ状態が録音セレクタ１２０の設定に反映され、入力元設定ウィンドウ３８０が閉じられる。また、３８６はキャンセルボタンであり、これが押下されると録音セレクタ１２０の設定が変更されることなく入力元設定ウィンドウ３８０が閉じられる。
【００５３】
2．4．レコーダＣＵＥボタン・オンイベント処理（図８）
レコーダ設定画面３００において録音ＣＵＥボタン３３０または再生ＣＵＥボタン３３６が押下されると、図８に示すレコーダＣＵＥボタン・オンイベント処理ルーチンが起動される。図８において処理がステップＳＰ４２に進むと、ＣＵＥボタン３３０，３３６のうち押下された側のチャンネル番号（「３７」または「３８」）がチャンネルｃに設定される。次に、処理がステップＳＰ４４に進むと、ＣＵＥオンパラメータＣＯＮ（c）が“０”であるか否かが判定される。
【００５４】
今回押下されたＣＵＥボタン３３０または３３６が、押下される前にＣＵＥ対象信号であった場合はＣＵＥオンパラメータＣＯＮ（c）は“１”（オン状態）であるから、ステップＳＰ４４において「ＮＯ」と判定され、処理はステップＳＰ４６に進む。ここでは、ＣＵＥオンパラメータＣＯＮ（c）が“０”（オフ状態）に変更される。次に、ステップＳＰ４８おいてはユーザ向け放音信号としてモニタ信号が選択される。これは、ＣＵＥ対象信号が全く無くなり、ＣＵＥ信号が無音になるためである。次に、処理がステップＳＰ５０に進むと、ＣＵＥステートＣＳが“０”（グループ無）に設定され、本ルーチンが終了する。
【００５５】
一方、今回押下されたＣＵＥボタン３３０または３３６が、押下される前にＣＵＥ対象信号ではなかった場合は、ステップＳＰ４４において「ＹＥＳ」と判定され、処理はステップＳＰ５２に進む。ここでは、全チャンネルのＣＵＥオンパラメータＣＯＮが“０”（オフ状態）に設定される。次に、処理がステップＳＰ５４に進むと、切換部１３４において、ユーザ向け放音信号としてＣＵＥ信号が選択される。次に、処理がステップＳＰ５６に進むと、ＣＵＥステートＣＳが“３”（レコーダ）に設定される。次に、処理がステップＳＰ５８に進むと、チャンネルｃに係るＣＵＥオンパラメータＣＯＮ（c）が“１”（オン状態）に設定される。
【００５６】
以上のステップＳＰ５２〜ＳＰ５８の処理により、当該チャンネルｃの音声信号のみがＣＵＥ対象信号として選択される。換言すれば、ＣＵＥオンオフ切換部１２６，１２８の一方のみからＣＵＥバス１１４にＣＵＥ対象信号が供給され、当該ＣＵＥ対象信号がそのままＣＵＥ信号になる。このように、内蔵レコーダ１２に係るＣＵＥボタン３３０，３３６が押下された場合には、キューモードＭＣが“０”（単一ＣＵＥモード）であるか“１”（ＭＩＸ・ＣＵＥモード）であるかにかかわらず、一系統の音声信号のみがＣＵＥ対象信号として選択されることになる。
【００５７】
2．5．ＯＫボタン３７４のイベント処理（図９）
次に、上記出力先設定ウィンドウ３７０内のＯＫボタン３７４が押下された際の処理を説明する。該ボタンが押下されると、図９に示すＯＫボタンイベント処理ルーチンが起動される。図において処理がステップＳＰ１０２に進むと、入力パッチ部１０８に係る設定データにおいて変更対象になるチャンネルを指定するチャンネル番号chが「１」に設定される。次に、処理がステップＳＰ１０４に進むと、出力先選択ボタン群３７２においてチャンネルchに対応するボタンがオン状態であるか否かが判定される。ここで「ＹＥＳ」と判定されると、処理はステップＳＰ１０６に進み、チャンネル番号chに係る入力チャンネルの入力に、内蔵レコーダ１２の出力（右チャンネルまたは左チャンネルのうち設定ウィンドウ３７０に対応する側）が接続され、該出力からの音声信号が当該入力チャンネルに供給されるように、カレントデータ内の入力パッチ部１０８に係る設定データのうちの当該入力チャンネルに係る設定データが更新される。
【００５８】
一方、チャンネル番号chに対応するボタンがオフ状態であった場合はステップＳＰ１０４において「ＮＯ」と判定され、処理はステップＳＰ１０８に進む。ここでは、現在のカレントデータの入力パッチ部１０８に係る設定データにおいて、チャンネル番号ｃｈの示す入力チャンネルの入力に内蔵レコーダ１２の出力（設定ウィンドウ３７０に対応する側）が接続されてるか否かが判定される。ここで「ＹＥＳ」と判定されると、処理はステップＳＰ１１０に進み、当該入力チャンネルの入力に何も接続されておらず、音声信号が供給されない（無音信号が供給される）ように、カレントデータ内の入力パッチ部１０８の設定データのうちの当該入力チャンネルに係る設定データが更新される。一方、ステップＳＰ１０８において「ＮＯ」と判定されると、ステップＳＰ１１０はスキップされる。従って、かかる場合には、該チャンネル番号chの示す入力チャンネルについては、入力パッチ部１０８の設定データは更新されず、元のままの接続が維持される。
【００５９】
次に、処理がステップＳＰ１１２に進むと、チャンネル番号chが「１」だけインクリメントされる。次に、処理がステップＳＰ１１４に進むと、チャンネル番号chは、入力チャンネルのチャンネル番号の最大値である「２４」を超えているか否かが判定される。ここで「ＮＯ」と判定されると、処理はステップＳＰ１０４に戻り、新たなチャンネル番号chに対して上記ステップＳＰ１０４〜ＳＰ１１２の処理が繰り返される。そして、チャンネル番号chが「２４」を超えると、全ての入力チャンネルに対して上記ステップＳＰ１０４〜ＳＰ１１２の処理が実行されたことになるため、本ルーチンが終了する。
【００６０】
このように本実施例においては、ＯＫボタンイベント処理ルーチン（図９）が実行される際に、出力先選択ボタン群３７２においてオン状態に設定されているボタンに対しては、そのボタンに対応する入力チャンネルに対して、内蔵レコーダ１２からの再生信号が供給されるように入力パッチ部１０８が設定される。また、オフ状態に設定されているボタンに対しては、そのボタンに対応する入力チャンネルに対して、内蔵レコーダ１２からの「再生信号が供給されない状態」に入力パッチ部１０８が設定される。
【００６１】
ここで、後者の「再生信号が供給されない状態」とは、
状態Ａ：当該入力チャンネルに対して再生信号以外の何らかの音声信号が供給される状態、および
状態Ｂ：当該入力チャンネルに対して（再生信号を含めて）音声信号が全く供給されない状態
の双方が考えられる。しかし、出力先設定ウィンドウ３７０においては、当該入力チャンネルが状態Ａ，Ｂの何れの状態であるのか、また、状態Ａであった場合に具体的に当該入力チャンネルに何れの音声信号が供給されるのかを表示・設定することはできない。出力先設定ウィンドウ３７０は、「内蔵レコーダ１２からの再生信号を何れの入力チャンネルに供給するか」についてのみの表示・設定を行うことに機能が特化されている。
【００６２】
このように、出力先設定ウィンドウ３７０において、入力パッチ部１０８の内蔵レコーダ１２の１出力に関係する設定のみを表示することにより、その出力の設定にとっては余計な情報を隠されるので、ユーザによるパッチ設定が容易になる。かかる構成によれば、ユーザは、レコーダ設定画面３００内において内蔵レコーダ１２に係る各種パラメータ設定を行いつつ、出力先設定ウィンドウ３７０を用いて複数の入力チャンネルをその出力先として設定することができ、内挿レコーダ１２に係る設定を統合的に行うことができる。さらに、当該ウィンドウ３７０をコンパクトにし、表示器２の一画面内にレコーダ設定画面３００と出力先設定ウィンドウ３７０とを隣接させて表示できる。かかる構成によれば、ユーザは、レコーダ設定画面３００内において内蔵レコーダ１２等の各種設定を行いつつ、出力先設定ウィンドウ３７０を用いて出力先を設定することができ、内蔵レコーダ１２に係る設定を一画面内で済ませることができる。なお、内蔵レコーダ１２に関連しない音声信号を入力チャンネルに割り当てるためには、入力パッチ部１０８の状態設定を行う専用の設定画面（図示略）を表示器２に表示させ、この画面上で設定を行うとよい。
【００６３】
3．変形例
本発明は上述した実施例に限定されるものではなく、例えば以下のように種々の変形が可能である。
(1)上記実施例においては、ＣＰＵ２２によって実行されるプログラムによって各種処理を行ったが、このプログラムのみをＣＤ−ＲＯＭ、メモリカード等の記録媒体に格納して頒布し、あるいは伝送路を通じて頒布することもできる。
【００６４】
(2)上記実施例においては「記憶媒体」としてＵＳＢメモリ３４を使用したが、記憶媒体はＵＳＢメモリに限定されるものではなく、コンパクト フラッシュ（登録商標）や SDメモリなどの各種不揮発性メモリや磁気記憶媒体などを使用したものであってもよい。
【００６５】
(3)また、上記実施例のレコーダ設定画面３００は、内蔵レコーダ１２を「特定音声信号供給源」及び「特定信号出力部」としてその内容を設定するものであった。しかし、かかる「特定音声信号供給源」及び「特定信号出力部」は、内蔵レコーダ１２に限定されるものではなく、アナログ入力部１０２やデジタル入力部１０４の任意の入力ポートや、内蔵エフェクタ、内蔵オシレータ、入力チャンネル、出力チャンネル、ミキシングバス、カスケード入力部など、音声信号を出力することができるものであれば何でも特定音声信号供給源とすることができる。
【００６６】
(4)また、上記実施例において、出力先選択ボタン群３７２を構成する各ボタンのうちオフ状態であるボタンは状態Ａ（当該入力チャンネルに対して再生信号以外の何らかの音声信号が供給される状態）または状態Ｂ（当該入力チャンネルに対して音声信号が全く供給されない状態）のうち何れかであるが、出力先設定ウィンドウ３７０内で状態Ａ，Ｂを区別する表示は行われていなかった。しかし、状態Ａ，Ｂに応じてボタンに異なる表示色を与えることにより、設定ウィンドウ３７０内で状態Ａ，Ｂを区別できるようにしてもよい。
【００６７】
(5)また、内蔵レコーダ１２（または「特定音声信号供給源」、「特定信号出力部」）に対して音声信号を供給する「供給手段」及び「信号供給部」は、入力パッチ１０８に限定されるものではなく、出力パッチ１１８であってもよい。また、オーディオミキサの入力パッチや出力パッチに限定されるものではなく、入力（送信側）から出力（受信側）への接続を行うあらゆるパッチであってよい。また本発明は、パッチを備えている音響機器であれば、例えば、PC用のオーディオインターフェース、効果付与用のエフェクタ、信号増幅用のアンプリファイアなどの何れにも適用することができる。
【図面の簡単な説明】
【００６８】
【図１】本発明の一実施例のデジタルミキサ１のハードウエアブロック図である。
【図２】デジタルミキサ１の操作パネルの要部の平面図である。
【図３】信号処理部１０等において実現されるアルゴリズムのブロック図である。
【図４】第ｎ入力チャンネル調整部１１０−ｎにおけるアルゴリズムの詳細ブロック図である。
【図５】第ｍＭＩＸ出力チャンネル調整部１１６−ｍにおけるアルゴリズムの詳細ブロック図である。
【図６】ＣＵＥキー・オンイベント処理ルーチンのフローチャートである。
【図７】表示器２に表示される表示画面の一例を示す図である。
【図８】レコーダＣＵＥボタン・オンイベント処理ルーチンのフローチャートである。
【図９】ＯＫボタンイベント処理ルーチンのフローチャートである。
【符号の説明】
【００６９】
２：表示器、４：電動フェーダ群、６：操作子群、８：波形Ｉ／Ｏ部、１０：信号処理部、１２：内蔵レコーダ（特定音声信号供給源）、１４：ＵＳＢ・Ｉ／Ｏ部、１６：コネクタ、１８：バスライン、２０：その他Ｉ／Ｏ部、２２：ＣＰＵ（処理装置）、２４：フラッシュメモリ、２８：ＲＡＭ、３２：操作者用モニタ、３４：ＵＳＢメモリ（記憶媒体）、１０２：アナログ入力部、１０２，１０４：入力部（音声信号供給源）、１０４：デジタル入力部、１０８：入力パッチ部（入力チャンネル割当手段、出力先選択手段）、１１０：入力チャンネル調整部、１１０−ｎ：第ｎ入力チャンネル調整部、１１２：ＭＩＸバス群（ミキシングバス）、１１４：ＣＵＥバス（キュー信号出力手段）、１１６：ＭＩＸ出力チャンネル調整部、１１８：出力パッチ部、１２０：録音セレクタ（録音選択手段）、１２２：アナログ出力部、１２４：デジタル出力部、１２６，１２８，１５８，１７４：ＣＵＥオンオフ切換部、１３０：モニタセレクタ、１３２：モニタ用ミキサ、１３４：切換部、１５０：音質調整部、１５２：音量調整部、１５４，１８０：オンオフ切換部、１５６：信号切換部、１６０−１〜１６０−１２：信号切換部、１６２−１〜１６２−１２：センドレベル調節部、１６４−１〜１６４−１２：センドオンオフ切換部、１７２：音質調整部、１７６：信号切換部、１７８：音量調整部、２２０〜２２６：カーソルボタン、２３０：インクリメントキー、２３２：デクリメントキー、２３３：ジョグダイヤル、２３４：ＥＮＴＥＲキー、２４０−１〜２４０−Ｐ：チャンネルストリップ、２４２−１〜２４２−Ｐ：ＣＵＥキー、２４４−１〜２４４−Ｐ：電動フェーダ、２４６−１〜２４６−Ｐ：オン／オフ・キー、２４８−１〜２４８−Ｐ：ＳＥＬキー、２４９−１〜２４９−Ｐ：ノブ、２５０：ヘッドフォン端子、２５２：音量調節ノブ、２６０：モニタ用選択スイッチ群、３００：レコーダ設定画面、３１０：録音信号設定部、３１２：左チャンネル指定部、３１４：右チャンネル指定部、３１６：録音レベル表示部、３１８：録音ゲイン設定部、３２０：再生信号設定部、３２２：左チャンネル指定部、３２４：右チャンネル指定部、３２６：再生レベル表示部、３３０：録音ＣＵＥボタン、３３２，３３４：動作状態表示部、３３６：再生ＣＵＥボタン、３４０：録音・再生操作部、３４２：タイトル表示部、３４４：演奏者名表示部、３４６：タイムコード表示部、３４８：圧縮形式表示部、３５０：入力ビットレート表示部、３５２：巻き戻しボタン、３５４：停止ボタン、３５６：再生・ポーズボタン、３５８：早送りボタン、３６２：再生モード設定部、３６６：再生モード表示部、３６８：録音レート表示部、３７０：設定ウィンドウ、３７０：出力先設定ウィンドウ、３７２：出力先選択ボタン群（特定信号割当選択手段）、３７４，３８４：ＯＫボタン、３７６，３８６：キャンセルボタン、３８０：入力元設定ウィンドウ、３８２：入力元選択ボタン群。
【図１】
2007329567.tif 000003
【図２】
2007329567.tif 000004
【図３】
2007329567.tif 000005
【図４】
2007329567.tif 000006
【図５】
2007329567.tif 000007
【図６】
2007329567.tif 000008
【図７】
2007329567.tif 000009
【図８】
2007329567.tif 000010
【図９】
2007329567.tif 000011